【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
流体中の生体物質の成分を検査するための流体求心デバイスであって、前記流体求心デバイスは、回転可能なホルダ内で受容されるように適合される形を有し、前記回転可能なホルダは、回転の中心および外縁を有し、前記流体求心デバイスは、前記回転の中心と前記外縁との間で半径方向に延在し、前記流体求心デバイスの内側は、前記回転の中心に向かって位置し、前記流体求心デバイスの外側は、前記外縁に向かって位置し、前記デバイスは、
少なくとも前面上に流体特徴を有する流体構成部分層を備え、前記流体特徴は、
前記流体を通すための流入チャネルを含み、前記流入チャネルはチャンバ入口に連結され、前記流体特徴は、さらに、
前記流体を受容するための前記チャンバ入口で前記流入チャネルに連結される底部充填能チャンバを含み、前記チャンバ入口は前記底部充填可能チャンバの外側に設けられ、前記底部充填可能チャンバは、外部変動磁場に応答して前記底部充填可能チャンバ内で移行する、ビーズを除く少なくとも１つの移行可能部材を含み、前記底部充填可能チャンバ及び前記移行可能部材は、前記底部充填可能チャンバから前記移行可能部材が流出することを防止しながら前記底部充填可能チャンバ内で前記移行可能部材が移行することができるような寸法に形作られかつ構成され、前記流体特徴は、さらに、
前記底部充填可能チャンバのための余剰分出口に連結されるオーバーフローチャンバを含み、前記余剰分出口は、前記底部充填可能チャンバから前記オーバーフローチャンバへの前記流体の一部の流出を可能にし、前記余剰分出口は、前記底部充填可能チャンバの縦方向側面上の前記底部充填可能チャンバの前記内側の近くに提供され、前記流体特徴は、さらに、
前記オーバーフローチャンバに連結されるが前記底部充填可能チャンバに連結されない通気チャネルを含み、前記通気チャネルは、前記底部充填可能チャンバおよび前記オーバーフローチャンバを同時に通気し、前記デバイスは、さらに、
前記流体構成部分層の背部に結合され、それによって、前記流体が求心力下で通って流動する流体ネットワークを作出する、底部構成部分層を備える、デバイス。
【請求項２】
前記流体を受容するための取り入れレセプタクルを更に備え、前記取り入れレセプタクルは、前記流体構成部分層の前面上で前記流体構成部分層から外方向に延在し、前記内側の近くに位置し、かつ取り入れレセプタクル出口において終わり、前記流入チャネルは、前記チャンバ入口と対向する端で前記取り入れレセプタクル出口に連結される、請求項１に記載のデバイス。
【請求項３】
前記チャンバ入口は前記底部充填能チャンバの前記内部空間よりも小さな幅又は深さを有する、請求項１または２に記載のデバイス。
【請求項４】
前記底部充填可能チャンバは、変動磁場に応答しない少なくとも１つの対象物をさらに備え、前記対象物は、ビーズ、ゼオライト、粒子、濾過粒子、ガラスビーズ、ジルコニウムビーズ、樹脂、ビーズおよび樹脂のスラリーのうちの少なくとも１つである、請求項１〜３のいずれか１項に記載のデバイス。
【請求項５】
前記対象物および前記移行可能部材のうちの少なくとも１つは、前記流体の成分と相互作用するように適合されるキレートおよびリガンド物質のうちの少なくとも１つでコーティングされる、請求項１〜４のいずれか１項に記載のデバイス。
【請求項６】
前記底部充填可能チャンバのための流出口を更に備え、前記流出口は、前記底部充填可能チャンバからの前記流体の流出を可能にし、前記底部充填可能チャンバの前記１つの縦方向側面上に位置し、かつ前記余剰分出口よりも前記底部充填可能チャンバの前記外側により接近して位置し、前記底部充填可能チャンバの計量体積は、前記流出口と前記余剰分出口との間で定義される、請求項１〜５のいずれか１項に記載のデバイス。
【請求項７】
前記底部充填可能チャンバのための流出口を更に備え、前記流出口は、前記底部充填可能チャンバからの前記流体の流出を可能にし、前記底部充填可能チャンバの１つの縦方向側面上に位置する、請求項１〜５のいずれか１項に記載のデバイス。
【請求項８】
前記流出口に破裂弁を更に備え、前記破裂弁は、前記デバイス上に適用される既定求心力で開放し、前記破裂弁は、前記開放まで、前記流体が前記底部充填可能チャンバから流出するのを防止する、請求項６または７に記載のデバイス。
【請求項９】
保持チャンバを更に備え、前記保持チャンバは、前記保持チャンバの内側で前記流出口に連結され、前記保持チャンバは、前記底部充填可能チャンバよりも前記流体構成部分層の前記外側により接近して位置し、前記保持チャンバは、計量チャネルを介して前記流出口に連結され、前記計量チャネルは、前記流体の少なくとも一部分を前記底部充填可能チャンバから前記保持チャンバへ通すためのものである、請求項６〜８のいずれか１項に記載のデバイス。
【請求項１０】
前記保持チャンバ中に全体的に提供され、液体希釈剤を含有する容器を更に備え、前記容器は、前記容器中に前記液体希釈剤を維持するように、かつ前記容器への外部力の適用時に前記保持チャンバ中で前記液体希釈剤を放出するように適合され、前記外部力は、機械力、電気力、電磁力、熱的力、衝撃力、および音響力のうちの１つであり、それによって、前記保持チャンバ中の前記液体希釈剤と前記流体との間の前記流体接続を復元する、請求項９に記載のデバイス。
【請求項１１】
流体中の生体物質の成分を検査するための流体求心デバイスであって、前記流体求心デバイスは、回転可能なホルダ内で受容されるように適合される形を有し、前記回転可能なホルダは、回転の中心および外縁を有し、前記流体求心デバイスは、前記回転の中心と前記外縁との間で半径方向に延在し、前記流体求心デバイスの内側は、前記回転の中心に向かって位置し、前記流体求心デバイスの外側は、前記外縁に向かって位置し、前記デバイスは、
少なくとも前面上に流体特徴を有する流体構成部分層を備え、前記流体特徴は、
前記流体を通すための第１の流入チャネルを含み、前記第１の流入チャネルはチャンバ入口に連結され、前記流体特徴は、さらに、
前記流体を受容するための前記チャンバ入口で前記第１の流入チャネルに連結される底部充填能チャンバを含み、前記チャンバ入口は前記底部充填可能チャンバの外側に設けられ、前記底部充填可能チャンバは、外部変動磁場に応答して前記底部充填可能チャンバ内で移行する、ビーズを除く少なくとも１つの移行可能部材を含み、前記底部充填可能チャンバ及び前記移行可能部材は、前記底部充填可能チャンバから前記移行可能部材が流出することを防止しながら前記底部充填可能チャンバ内で前記移行可能部材が移行することができるような寸法に形作られかつ構成され、前記流体特徴は、さらに、
前記底部充填可能チャンバのための余剰分出口に連結されるオーバーフローチャンバを含み、前記余剰分出口は、前記底部充填可能チャンバから前記オーバーフローチャンバへの前記流体の一部の流出を可能にし、前記余剰分出口は、前記底部充填可能チャンバの縦方向側面上の前記底部充填可能チャンバの前記内側の近くに提供され、前記流体特徴は、さらに、
前記オーバーフローチャンバに連結されるが前記底部充填可能チャンバに連結されない通気チャネルを含み、前記通気チャネルは、前記底部充填可能チャンバおよび前記オーバーフローチャンバを同時に通気し、前記流体特徴は、さらに、
前記流体を通すための第２の流入チャネルを含み、前記第２の流入チャネルは、前記底部充填可能チャンバ及び取り入れレセプタクル口に連結され、前記流体特徴は、さらに、
保持チャンバを含み、前記保持チャンバは、前記流体を前記保持チャンバの中に受容するための前記取り入れレセプタクル口を介して、前記第２の流入チャネルに連結され、前記流体特徴は、さらに、
前記保持チャンバ中に全体的に提供され、液体希釈剤を含有する、容器を含み、前記容器が、前記容器中に前記液体希釈剤を維持するように、かつ前記容器への外部力の適用時に前記保持チャンバ中で前記液体希釈剤を放出するように適合され、前記外部力が、機械力、電気力、電磁力、熱的力、衝撃力、および音響力のうちの１つであり、それによって、前記保持チャンバ中の前記液体希釈剤と前記流体との間の前記流体接続を復元し、前記デバイスは、さらに、
前記流体構成部分層の背部に結合され、それによって、前記流体が求心力下で通って流動する流体ネットワークを作出する、底部構成部分層を備える、デバイス。
【請求項１２】
前記保持チャンバは、前記流体を受容するための流動分断レセプタクルを有し、前記流動分断レセプタクルは、前記保持チャンバの前記外側に位置し、前記流動分断レセプタクルは、前記取り入れレセプタクル口と前記保持チャンバの分配出口との間の流体接続を中断する、請求項１１に記載のデバイス。
【請求項１３】
前記流動分断レセプタクルは、乾燥反応物質を含む、請求項１２に記載のデバイス。
【請求項１４】
前記保持チャンバは、前記保持チャンバのための分配出口を有し、前記分配出口は、前記保持チャンバの外側に位置し、かつ横断分配チャネルの第１の横断端において、前記分配チャネルの内側で前記横断分配チャネルに連結され、前記横断分配チャネルは、前記横断分配チャネルの外側に提供される一連の少なくとも１つのキュベットを有する、請求項１１〜１３のいずれか１項に記載のデバイス。
【請求項１５】
前記キュベットのうちの少なくとも１つは、乾燥試薬および相変化物質のうちの少なくとも１つを含む、請求項１４に記載のデバイス。
【請求項１６】
前記キュベットは、少なくとも１つのパラメータについて光学的に照会されるように適合され、前記パラメータは、蛍光、吸光、および比色分析法のうちの１つである、請求項１４または１５に記載のデバイス。
【請求項１７】
前記横断分配チャネルは、前記分配チャネルの第２の横断端で廃棄チャンバを含む、請求項１２〜１６のいずれか１項に記載のデバイス。
【請求項１８】
前記廃棄チャンバは、相変化物質を含む、請求項１７に記載のデバイス。
【請求項１９】
前記分配チャネル、前記キュベット、および前記廃棄チャンバは、前記回転可能なホルダの前記外縁を越えて延在する、前記流体層部品の一部分上に提供される、請求項１８に記載のデバイス。
【請求項２０】
前記流体構成部分層は、少なくとも２つの別個の温度制御可能区分に分割されるように適合され、前記２つの別個の温度制御可能区分のうちの第１区分は、少なくとも前記保持チャンバを含み、前記２つの別個の温度制御可能区分のうちの第２区分は、少なくとも前記分配チャネルおよび前記少なくとも１つのキュベットを含む、請求項１４〜１９のいずれか１項に記載のデバイス。
【請求項２１】
流体中の生体物質の成分を検査するための流体求心デバイスであって、前記流体求心デバイスは、回転可能なホルダ内で受容されるように適合される形を有し、前記回転可能なホルダは、回転の中心および外縁を有し、前記流体求心デバイスは、前記回転の中心と前記外縁との間で半径方向に延在し、前記流体求心デバイスの内側は、前記回転の中心に向かって位置し、前記流体求心デバイスの外側は、前記外縁に向かって位置し、前記デバイスは、
少なくとも前面上に流体特徴を有する流体構成部分層を備え、前記流体特徴は、
前記流体を受容するための取り入れレセプタクルを含み、前記取り入れレセプタクルは、前記流体構成部分層の前面上で前記流体構成部分層から外方向に延在し、前記内側の近くに位置し、かつ取り入れレセプタクル出口において終わり、前記流体特徴は、さらに、
前記流体を通すための流入チャネルを含み、前記流入チャネルは、一端で前記取り入れレセプタクル出口に、および別の端でチャンバ入口に連結され、前記流体特徴は、さらに、
前記流体を受容するための前記チャンバ入口で前記流入チャネルに連結される底部充填可能チャンバを含み、前記チャンバ入口は前記底部充填可能チャンバの外側に設けられ、前記底部充填可能チャンバは、外部変動磁場に応答して前記底部充填可能チャンバ内で移行する、ビーズを除く少なくとも１つの移行可能部材を含み、前記底部充填可能チャンバ及び前記移行可能部材は、前記底部充填可能チャンバから前記移行可能部材が流出することを防止しながら前記底部充填可能チャンバ内で前記移行可能部材が移行することができるような寸法に形作られかつ構成され、前記流体特徴は、さらに、
前記底部充填可能チャンバのための余剰分出口に連結されるオーバーフローチャンバを含み、前記余剰分出口は、前記底部充填可能チャンバから前記オーバーフローチャンバへの前記流体の一部の流出を可能にし、前記余剰分出口は、前記底部充填可能チャンバの縦方向側面上の前記底部充填可能チャンバの前記内側の近くに提供され、前記流体特徴は、さらに、
前記オーバーフローチャンバに連結されるが前記底部充填可能チャンバに連結されない通気チャネルを含み、前記通気チャネルは、前記底部充填可能チャンバおよび前記オーバーフローチャンバを同時に通気し、前記流体特徴は、さらに、
保持チャンバを含み、前記保持チャンバは、前記流体を前記保持チャンバの中に受容するための前記底部充填可能チャンバに連結され、前記流体特徴は、さらに、
前記保持チャンバのための分配出口を含み、前記分配出口は前記保持チャンバの外側に位置し、前記流体特徴は、さらに、
横断分配チャネルを含み、前記横断分配チャネルは、前記横断分配チャネルの外側に提供される一連の少なくとも１つのキュベットを有し、前記分配出口が、前記分配チャネルの第１の横断端において、前記分配チャネルの内側で前記横断分配チャネルに連結され、前記流体特徴は、さらに、
前記分配チャネルの第２の横断端の廃棄チャンバを含み、前記デバイスは、さらに、  前記流体構成部分層の背部に結合され、それによって、前記流体が求心力下で通って流動する流体ネットワークを作出する、底部構成部分層を備える、デバイス。
【請求項２２】
前記チャンバ入口は前記底部充填能チャンバの内部空間よりも小さな幅又は深さを有する、請求項２１に記載のデバイス。
【請求項２３】
前記底部充填可能チャンバは、変動磁場に応答しない少なくとも１つの対象物をさらに備え、前記対象物は、ビーズ、ゼオライト、粒子、濾過粒子、ガラスビーズ、ジルコニウムビーズ、樹脂、ビーズおよび樹脂のスラリーのうちの少なくとも１つである、請求項２１または２２に記載のデバイス。
【請求項２４】
流体中の生体物質の成分を検査するための流体求心デバイスを使用する検査装置であって、前記検査装置は、
請求項１〜２３のいずれか１項に記載の流体求心デバイスのうちの少なくとも１つと、
ローターアセンブリと、
前記流体構成部分層を使用する前記流体求心デバイスのうちの前記少なくとも１つを受容するためのホルダとを備え、前記ホルダは前記ローターに連結され、前記装置は、さらに、
前記ローターアセンブリを回転させるためのモーターと、
前記ローターアセンブリの回転の持続期間および速度のうちの少なくとも１つを制御するための、前記モーターのための速度制御装置と、
前記マイクロ流体求心デバイスの少なくとも一部分の温度を制御するための温度状態調節サブシステムと、
前記流体の特性を検出するための検出サブシステムと、
ユーザコマンドを受容するため、ならびにコマンドを、前記速度制御装置、前記温度状態調節サブシステム、前記励起サブシステム、および前記検出サブシステムのうちの少なくとも１つに送るための、ユーザインターフェースとを備える、装置。
【請求項２５】
前記温度状態調節サブシステムは、前記流体求心デバイスの少なくとも２つの区域の温度を制御する、請求項２４に記載の検査装置。
【請求項２６】
流体中の生体物質の成分を検査するための流体求心デバイスを使用する検査方法であって、
請求項１〜２３のいずれか１項に記載の流体求心デバイスのうちの少なくとも１つを提供することと、
請求項２４または２５に記載の検査装置を提供することと、
生体物質を含む流体を提供することと、
前記流体求心デバイスの前記取り入れレセプタクル中に前記流体を装填することと、
前記流体求心デバイスを前記検査装置の前記ホルダ内に配置することと、
検査手順を開始するためのユーザコマンドを提供することと、
前記ローターアセンブリを第１の速度で回転させて、前記流体を前記取り入れレセプタクルから前記底部充填可能チャンバへと移すこととを含む、方法。
【請求項２７】
前記流体は、血液、鼻咽頭吸引物、口腔液、再懸濁させた口腔スワブからの液体、再懸濁させた鼻スワブからの液体、肛囲スワブから再懸濁させた液体、膣スワブから再懸濁させた液体、唾液及び尿からなる群より選択される、請求項２６に記載の方法。
【請求項２８】
イオン、糖、代謝物質、脂肪酸、アミノ酸、核酸、タンパク質及び脂質からなる群より選択される少なくとも１つの成分を検査するための請求項２６または２７に記載の方法。